(57)【要約】【課題】筆記芯に軸線方向の所定の荷重が負荷されたときにチャックによる該筆記芯の把持を緩めて該筆記芯を後退させることができるシャープペンシルを提供する。【解決手段】一実施形態に係るシャープペンシルは、軸筒と、筆記芯の把持及び送り出しをおこなう把持送出機構であって、チャックと、チャックリングと、チャックスプリングとを有し、該軸筒に実質的に収容される把持送出機構と、を含み、該軸筒は内周面に第１の段差を有し、該把持送出機構は該第１の段差に対向する第２の段差を有し、該筆記芯に軸線方向の所定の負荷が加えられたときに、該第１の段差と該第２の段差とが軸線方向において係合して、該チャックスプリングの該把持送出機構に対する出力を低減し、該チャック及び該チャックリングによる該筆記芯の把持を緩める。【選択図】  図１Ａ
2018110682.tif 000002
【特許請求の範囲】
【請求項１】
軸筒と、
筆記芯の把持及び送出しをおこなう把持送出機構であって、チャックと、チャックリングと、チャックスプリングとを有し、前記軸筒に実質的に収容される把持送出機構と、を含み、
前記軸筒は内周面に第１の段差を有し、
前記把持送出機構は前記第１の段差に対向する第２の段差を有し、
前記筆記芯に軸線方向の所定の負荷が加えられたときに、前記第１の段差と前記第２の段差とが軸線方向において係合して、前記チャックスプリングの前記把持送出機構に対する出力を低減し、前記チャック及び前記チャックリングによる前記筆記芯の把持を緩める、
ことを特徴とするシャープペンシル。
【請求項２】
前記第２の段差は、前記チャックスプリングの後端面を含むように構成された、請求項１に記載のシャープペンシル。
【請求項３】
前記把持送出機構は、前記チャックスプリングを収容するスリーブと、該スリーブを前記軸筒に対して相対的に前方に付勢するクッションスプリングと、前記筆記芯に軸線方向の所定の負荷が加えられたときに前記スリーブが後退できる後退しろを更に有する、請求項１に記載のシャープペンシル。
【請求項４】
前記把持送出機構は、ノックボタンを更に有し、前記第２の段差は該ノックボタンに形成された、請求項１に記載のシャープペンシル。
【発明の詳細な説明】
【技術分野】
【０００１】
本発明の複数の実施形態は、筆記芯をチャックで把持することができると共に、ノック操作により筆記芯を送り出すことができるシャープペンシルに関する。
【背景技術】
【０００２】
従来、先具の内周面を摺動する摺動片を有し、該摺動片の後端の外周部に更に突起を有する、芯ガイドを固着したスライダを備え、該芯ガイドが該先具の先端の孔から突出および退没した位置で、該突起が係合する溝を該先具の内周面に形成したシャープペンシルが知られている（例えば、特許文献１参照）。特許文献１が開示するシャープペンシルによれば、該芯ガイドを、筆記時には、突出させた位置に固定し、不使用時には、退没した状態に維持することができる。
【先行技術文献】
【特許文献】
【０００３】
【特許文献１】実開平５−１２１８４号公報（例えば、段落０００８〜０００９、図１参照。）
【発明の概要】
【発明が解決しようとする課題】
【０００４】
従来のシャープペンシルでは、筆記芯ガイドに軸線方向の所定の荷重が負荷されたときに該筆記芯ガイドが後退してその破損を防ぐことができる。しかしながら、従来、筆記芯に軸線方向の所定の荷重が負荷されたときに、チャックにより把持された筆記芯が破損してしまったり、チャックにより把持された筆記芯がその外周面を削られながら後退してしまうことがあった。このような場合には、その外周面が削られた筆記芯をチャックが再び把持した際の該筆記芯の保持力が低下してしまうため、筆記をしにくくなってしまうことがあった。このため、従来、筆記芯に軸線方向の所定の荷重が負荷されたときにチャックによる該筆記芯の把持を緩めて該筆記芯を後退させることができるシャープペンシルを提供することが求められていた。【０００５】
本発明は、筆記芯に軸線方向の所定の荷重が負荷されたときにチャックによる該筆記芯の把持を緩めて該筆記芯を後退させることができるシャープペンシルを提供することを目的とする。
【課題を解決するための手段】
【０００６】
本発明に係るシャープペンシルの一態様では、軸筒と、筆記芯の把持及び送り出しをおこなう把持送出機構であって、チャックと、チャックリングと、チャックスプリングとを有し、該軸筒に実質的に収容される把持送出機構と、を含み、該軸筒は内周面に第１の段差を有し、該把持送出機構は該第１の段差に対向する第２の段差を有し、該筆記芯に軸線方向の所定の負荷が加えられたときに、該第１の段差と該第２の段差とが軸線方向において係合して、該チャックスプリングの該把持送出機構に対する出力を低減し、該チャック及び該チャックリングによる該筆記芯の把持を緩める。
【発明の効果】
【０００７】
本発明の一態様によれば、筆記芯に軸線方向の所定の荷重が負荷されたときにチャックによる該筆記芯の把持を緩めて該筆記芯を後退させることができるシャープペンシルを提供することができる。
【図面の簡単な説明】
【０００８】
【図１Ａ】本発明の第１実施形態に係るシャープペンシルの中間部分を省略し、前方側の部分と後方側の部分を拡大して示す部分拡大縦断面図である。
【図１Ｂ】本発明の第１実施形態に係るシャープペンシルを図１Ａに示す切断面Ａ-Ａで切断し、後方より見て拡大して示す拡大断面図である。
【図２】本発明の第２実施形態に係るシャープペンシルの中間部分を省略し、前方側の部分と後方側の部分を拡大して示す部分拡大縦断面図である。
【図３】本発明の第３実施形態に係るシャープペンシルの中間部分を省略し、前方側の部分と後方側の部分を拡大して示す部分拡大縦断面図である。
【発明を実施するための形態】
【０００９】
（第１実施形態）
以下、図１Ａ及び図１Ｂに基づいて本発明の第１実施形態を説明する。シャープペンシル１は、ノックボタン１１ａのノックキャップ１１ａ１へのノック操作により先口３の先端から筆記芯Ｔが送り出されて突出する後端ノック型のシャープペンシルである。なお、以下の説明では、シャープペンシル１の先口３が配置される側を中心軸線方向（軸線方向）における前方とし、ノックボタン１１ａが配置される側を後方として説明する。
【００１０】
シャープペンシル１は略円筒形状の軸筒本体２と略円錐形状の先口３とを備える。軸筒本体２と軸筒本体２の前方に配置される先口３とは後に詳述するように接続筒７を介して螺子締結される。軸筒本体２の後端には、ノックボタン１１ａが着脱可能に取り付けられる。ノックボタン１１ａは、後述する芯パイプ１１ｂに着脱可能に嵌合するノックボタン本体１１ａ２を有する。略筒状に形成されるノックボタン本体１１ａ２の後部には、字消しホルダー１１ａ３が固定される。字消しホルダー１１ａ３にはその中心軸線に沿って貫通穴が形成される。字消しホルダー１１ａ３の貫通穴及び略筒状に形成されたノックボタン本体１１ａ２の内側を通過させて筆記芯Ｔをシャープペンシル１に補充することができる。字消しホルダー１１ａ３の後端には、字消し５が着脱可能に取り付けられる。ノックボタン１１ａの後端の外周には、字消し５を覆うノックキャップ１１ａ１が着脱可能に取り付けられる。
【００１１】
ノックボタン１１ａの前方には、ノックボタン１１ａが着脱可能に嵌合される略筒状の芯パイプ１１ｂが配置される。芯パイプ１１ｂの前部は、芯パイプ１１ｂのさらに前方に配置される略筒状のチャック継手１１ｃに組み付けられる。略筒状に形成された芯パイプ１１ｂ及びチャック継手１１ｃの内側を通して筆記芯Ｔをさらに前方に供給することができる。ノックボタン１１ａ、芯パイプ１１ｂ及びチャック継手１１ｃは、筆記芯収容部１１を構成する。
【００１２】
軸筒本体２の前方側には、軸筒本体２の内周面から径方向内側に向けて環状に突出する環状突起２ａが形成される。環状突起２ａは、後に詳述するように軸線方向の前方に面する係合面を含む第１の段差を有する。一方、チャック継手１１ｃの外周面上には、径方向外側に向けて突出する３つのフランジ１１ｃ１が形成される。チャック継手１１ｃのフランジ１１ｃ１は、図１Ｂに示すように周方向に１２０度間隔で配置された３つの突起として形成される。また、軸筒本体２の環状突起２ａには、チャック継手１１ｃのフランジ１１ｃ１が軸線方向において通過可能な３つの貫通溝２ａ１が図１Ｂに示すように周方向に１２０度間隔で形成される。チャック継手１１ｃのフランジ１１ｃ１、軸筒本体２の環状突起２ａの貫通溝２ａ１及び第１の段差については後に詳述する。
【００１３】
チャック継手１１ｃの先端には、チャック１２が固定される。チャック１２は、中心軸線を中心として３方に分割されて筆記芯Ｔを径方向に挟圧することにより把持可能に形成される。チャック１２は、チャック継手１１ｃに固定される後端の基部１２ａと、基部１２ａから前方に延在する梁状部１２ｂと、この梁状部１２ｂの前端に形成される膨出部１２ｃと、を有する。膨出部１２ｃは、前端面部１２ｃ１と、最大外周面部１２ｃ２と、傾斜部１２ｃ３と、をさらに有する。前端面部１２ｃ１は、チャック１２が筆記芯Ｔを把持したときに中心軸線に対して略直交する面となるように形成される。最大外周面部１２ｃ２は、側面視において中心軸線と略平行となる外周面として形成されて前端面部１２ｃ１と接続される。傾斜部１２ｃ３は、最大外周面部１２ｃ２と接続されて後方に向かって外径を減ずる傾斜面として後方に延在する。傾斜部１２ｃ３は、後端で梁状部１２ｂに接続する。
【００１４】
チャック１２の膨出部１２ｃの外周には、チャックリング１３が嵌合する。チャックリング１３は、その後端に内径方向へ向けて延存する環状壁を有する略筒状に形成されて、膨出部１２ｃの最大外周面部１２ｃ２に後方から着脱可能に嵌合する。このチャックリング１３の膨出部１２ｃに対する嵌脱により、チャック１２及びチャックリング１３は、筆記芯Ｔを把持又は解放する。より詳細には、チャック１２は、チャックリング１３が膨出部１２ｃに嵌合していないときには、梁状部１２ｂの弾性により３分割されたチャック１２の先端の各々が外径方向へ開いて筆記芯Ｔを解放するように形成される。一方、チャックリング１３の先端がチャック１２の傾斜部１２ｃ３上を摺動してチャック１２の膨出部１２ｃに嵌合してチャック１２を閉じたときには、チャック１２及びチャックリング１３が筆記芯Ｔを径方向内側に挟圧して把持する。
【００１５】
チャック継手１１ｃの先端部分、チャック１２の基部１２ａ及び梁状部１２ｂの外周には、略筒状に形成されたスリーブ１４が配置される。スリーブ１４の前端には内径方向に向けて環状に突出する環状壁部１４ａが形成される。また、スリーブ１４の後方側の外周面上には外径方向に向けて環状に突出する環状突起１４ｂが形成される。チャック継手１１ｃの前方側の外周における、スリーブ１４の後端面とチャック継手１１ｃのフランジ１１ｃ１の前面との間には、コイルスプリングであるチャックスプリング１５が軸線方向に圧縮されて配置される。従って、チャック１２及び筆記芯収容部１１は、チャックスプリング１５によってスリーブ１４に対して後方に付勢される。チャック１２及び筆記芯収容部１１は、チャックリング１３をスリーブ１４の環状壁部１４ａの前面に向けて押圧し、これによりチャック１２とチャックリング１３とが嵌合して筆記芯Ｔを把持する。
【００１６】
スリーブ１４の環状突起１４ｂの後面と軸筒本体２の環状突起２ａの前面との間には、コイルスプリングであるクッションスプリング１６が軸線方向に圧縮されて配置される。スリーブ１４及びクッションスプリング１６はシャープペンシル１の把持送出機構１０を軸線方向において弾性的に支持する。このため、筆記芯Ｔに軸線方向の所定の筆圧が負荷されたときは、筆記芯Ｔを把持した把持送出機構１０が後方に後退して筆記芯Ｔの圧縮を軽減することができるから、筆記芯Ｔの折損を防ぐことができる。
【００１７】
スリーブ１４の前部の径方向外側及びスリーブ１４の前方には、軸筒本体２と先口３とを接続する接続筒７が配置される。接続筒７の外周面上には、雄ねじ部７ａ及び７ｂが形成される。前側の雄ねじ部７ａは、先口３の後部の内周面上に形成された雌ねじ部３ａと螺合する。後側の雄ねじ部７ｂは、軸筒本体２の前部の内周面上に形成された雌ねじ部２ｂと螺合する。接続筒７を介して、軸筒本体２と先口３とが接続されることで、軸筒４を構成する。接続筒７は、その前方に配置されてスライダ８を収容するスライダ収容部７ｃと、スライダ収容部７ｃよりも大径の内部空間を有してスライダ収容部７ｃの後方に配置されたチャックリング収容部７ｄと、チャックリング収容部７ｄよりもさらに大径の内部空間を有してチャックリング収容部７ｄの後方に配置されたスリーブ収容部７ｅと、を有する。
【００１８】
スリーブ収容部７ｅとチャックリング収容部７ｄとの接続部にはスリーブ１４（環状壁部１４ａ）の前端面と軸線方向で当接する段部７ｆが形成される。接続筒７の段部７ｆがスリーブ１４を前方に向けて付勢するクッションスプリング１６の付勢力を受け止めてスリーブ１４のさらなる前方への移動を規制する。チャックリング収容部７ｄとスライダ収容部７ｃとの接続部には、前進したチャックリング１３の前端が当接する段部７ｇが形成される。後退したチャックリング１３の前端と段部７ｇとの間には所定の間隔が空けられてチャックリング１３の前進を許容する。この所定の間隔だけ前進した後に、チャックリング１３の前端が段部７ｇに当接し、チャックリング１３がチャック１２に対して相対的に後方へ向けて移動することでチャック１２から離脱する。チャック１２はスライダ収容部７ｃ内をさらに前進して筆記芯Ｔを解放し、これにより筆記芯Ｔはシャープペンシル１における１ノック操作当たりの所定の送り出し量だけ送り出される。その後、シャープペンシル１の把持送出機構１０がノック操作から解放されると、送り出された筆記芯Ｔを残してチャック１２及びチャックリング１３が後退し、筆記芯Ｔのより後方の位置を再び把持する。
【００１９】
スライダ収容部７ｃの内部には、後退したスライダ８を収容することができる。スライダ８の先端部には、芯ガイド９が固定される。スライダ８の後端部の外周面には外径方向に突出した環状の係合部８ａが形成される。スライダ８の係合部８ａは接続筒７のスライダ収容部７ｃの先端部の内周面に形成された内径方向に突出する係合部と係合し、スライダ８の軸線方向の移動に対する所定の係合力をスライダ８に付与する。このため、例えば芯ガイド９に定規を当てて線を引く場合などに、芯ガイド９に軸線方向後方への力が作用した場合にも、芯ガイド９はスライダ８によって軸線方向に所定の係合力で支持されているために、芯ガイド９が後退してしまうことがない。一方で、接続筒７とスライダ８との係合により生じる所定の係合力を超える軸線方向後方への荷重を芯ガイド９に負荷した場合には、接続筒７とスライダ８との係合は解除されるから、芯ガイド９をスライダ収容部７ｃ内に収容することができる。また、スライダ８の係合部８ａの外周面は接続筒７のスライダ収容部７ｃの内周面に接触して摺動するように構成されている。このため、後に詳述するように把持送出機構１０へのノック操作によってスライダ８がチャック１２に押圧されて前方に向けて再び移動されない限り、芯ガイド９が意図せず先口３から突出してしまうことがない。このように芯ガイド９を軸筒４内に収容することができるので、例えばシャープペンシル１を服のポケット内に入れて持ち運ぶ場合などにも、芯ガイド９が折れ曲がるなどして破損してしまうことがない。
【００２０】
スライダ８は、内径方向に突出する環状突起として形成されたブレーカ部８ｂをさらに有する。ブレーカ部８ｂは筆記芯Ｔを径方向に挟圧することで、筆記芯Ｔの軸線方向への移動に対する所定の抵抗力を負荷して、筆記芯Ｔがチャック１２に把持されていないときに、筆記芯Ｔが意図せず軸線方向に移動してしまうことを防止する。本実施形態の筆記芯Ｔの把持及び送り出しをおこなう把持送出機構１０は、筆記芯収容部１１、チャック１２、チャックリング１３、スリーブ１４、チャックスプリング１５、クッションスプリング１６を有する。本発明の複数の実施形態では、本実施形態の筆記芯収容部１１のように、その一部（具体的には、ノックボタン１１ａの一部）が軸筒本体２から後方へ突出しているが、この場合にも、把持送出機構１０は、実質的に軸筒４に収容されているものとみなす。
【００２１】
スライダ８を軸筒４内に収容したシャープペンシル１をノック操作した際の把持送出機構１０の作動について説明する。チャックスプリング１５の弾発力に抗してノックボタン１１ａを前方にノック操作して筆記芯収容部１１を前進させると、筆記芯収容部１１に固定されたチャック１２が筆記芯Ｔを把持した状態で前進する。接続筒７の段部７ｇとチャックリング１３の前端が当接すると、チャック１２の膨出部１２ｃからチャックリング１３が後方に離脱して、筆記芯Ｔは前方に送り出された位置で解放される。このとき、スライダ８の後端がチャック１２の前端に押圧されて前進し、芯ガイド９が先口３の先端から突出した状態となって接続筒７の先端部とスライダ８の後端部とが係合する。ノックボタン１１ａの押圧（ノック操作）を解除すると、チャックスプリング１５の弾発力によりチャック１２及び筆記芯収容部１１が後退する。このとき、接続筒７と係合したスライダ８のブレーカ部８ｂにより、筆記芯Ｔが前方に送り出された位置で挟持されているので、解放された筆記芯Ｔは後退しない。さらにチャック１２及び筆記芯収容部１１が後退すると、チャック１２の膨出部１２ｃにチャックリング１３が嵌合し、チャックリング１３の後面とスリーブ１４の環状壁部１４ａの前面が当接したノック操作前の状態に戻って、筆記芯Ｔはノック操作前よりもその後方の位置を再びチャック１２により把持される。
【００２２】
ノックボタン１１ａのノック操作を繰り返すと、筆記芯Ｔを順次前方に送り出すことができるから、筆記芯Ｔが芯ガイド９の先端から突出して、シャープペンシル１で筆記をすることができる。シャープペンシル１の筆記時における筆圧は、筆記芯Ｔを把持するチャック１２及びチャック１２に嵌合したチャックリング１３を介してチャックリング１３と当接するスリーブ１４に伝達される。さらにシャープペンシル１の筆記時における筆圧は、スリーブ１４を弾性支持するクッションスプリング１６を介して軸筒本体２の環状突起２ａによって軸線方向において支持される。
【００２３】
ここで、筆記芯Ｔにクッションスプリング１６の取付荷重を超える所定の筆圧が負荷された場合には、クッションスプリング１６が圧縮されてシャープペンシル１の把持送出機構１０が後退する。本実施形態のシャープペンシル１では、図１Ｂに示す通り、チャック継手１１ｃのフランジ１１ｃ１は軸筒本体２の環状突起２ａの貫通溝２ａ１を通過して後退することができるように構成されている。フランジ１１ｃ１が貫通溝２ａ１を通過して後退した後には、チャックスプリング１５の後端はフランジ１１ｃ１に代わって軸筒本体２の環状突起２ａにより軸線方向において支持される。
【００２４】
チャックスプリング１５の後端が軸筒本体２の環状突起２ａで支持されると、チャック１２をスリーブ１４に対して後方に付勢するチャックスプリング１５の付勢力の一部とチャックスプリング１５を軸筒本体２の環状突起２ａが前方に向けて支持する力とが相殺される。すなわち、筆記芯Ｔを把持するようにチャックスプリング１５がチャック１２を後方に向けて付勢する付勢力（チャック１２に対するチャックスプリング１５の出力）が減少される。このとき、チャックスプリング１５の後端面（係合面）を含む把持送出機構１０の第２の段差が軸筒本体２の環状突起２ａが有する第１の段差と軸線方向において係合している。チャックスプリング１５を軸筒本体２の環状突起２ａが前方に向けて支持する力は軸筒本体２に対して負荷される筆圧により提供される。これにより、把持送出機構１０に対するチャックスプリング１５の出力が減少され、チャック１２及びチャックリング１３による筆記芯Ｔの把持が緩められる。
【００２５】
チャック１２及びチャックリング１３による筆記芯Ｔの把持が緩められると、シャープペンシル１による筆記芯Ｔの芯保持力が低下して筆記芯Ｔが軸線方向後方へ後退可能となる。この際、チャック１２及びチャックリング１３による筆記芯Ｔの把持は少なくとも通常よりも緩められているので、従来のように筆記芯Ｔを通常通り把持した状態で芯すべりが生じてしまう場合と比較して、筆記芯Ｔの外周面が傷付けられてしまうことを防ぐことができる。このため、その後、再び筆記芯Ｔを送り出して使用する際のシャープペンシル１による筆記芯Ｔの芯保持力の低下を防ぐことができる。さらに前述のように芯ガイド９も先口３内に没入可能に構成されているため、本実施形態のシャープペンシル１の筆記芯Ｔに軸線方向に所定の荷重が負荷されたときには芯ガイド９及び筆記芯Ｔを共にシャープペンシル１内に収容することができる。本実施形態のシャープペンシル１では、筆記芯Ｔに意図せず軸線方向の所定の荷重が負荷された場合に芯ガイド９及び筆記芯Ｔの破損を防ぐことができる。さらに、筆記芯Ｔに意図して軸線方向の所定の荷重を負荷した場合にはノック操作を要することなく芯ガイド９及び筆記芯Ｔを容易にシャープペンシル１内に収容することができる。ここで、所定の荷重とは、例えば、クッションスプリング１６が所定の距離だけ軸線方向に圧縮される荷重とすることができ、また例えば、シャープペンシル１が把持した筆記芯Ｔの芯すべりを生じてしまう荷重未満の荷重とすることができる。
【００２６】
（第２実施形態）
次に、本発明の第２実施形態であるシャープペンシル１Ａについて図２に基づいて説明する。本実施形態では、第１実施形態におけるスリーブ１４及びチャック継手１１ｃの形状を変更して、チャックスプリング１５の配置を変更した。ここで、第１実施形態と同じ部材や箇所には同じ符号を付して、その説明は省略又は簡略化する。
【００２７】
本実施形態におけるスリーブ１４Ａは、略筒状に形成されて、前端に環状壁部１４Ａａが形成され、後端の外周面上には外径方向に向けて環状に突出する環状突起１４Ａｂが形成される。チャックスプリング１５は、スリーブ１４Ａ内におけるチャック１２（梁状部１２ｂ）の外周に圧縮して配置される。チャックスプリング１５の前端は環状壁部１４Ａａの後面に当接して支持される。チャックスプリング１５の後端は、チャック継手１１Ａｃの前端面と当接して支持される。第１実施形態と同様に、チャック１２及び筆記芯収容部１１のスリーブ１４Ａに対する後方への相対的な移動は、チャックリング１３の後面と環状壁部１４Ａａの前面とが当接することにより規制される。
【００２８】
チャック継手１１Ａｃの外周面上には、軸筒本体２の環状突起２ａの第１の段差に軸線方向で対向する第２の段差を有するチャック継手１１Ａｃの環状突起１１Ａｃ１が外径方向に突出して形成される。本実施形態の軸筒本体２の環状突起２ａの第１の段差とチャック継手１１Ａｃの環状突起１１Ａｃ１の第２の段差とは軸線方向に離間して、筆記芯収容部１１及びチャック１２、チャックリング１３及びスリーブ１４Ａの所定の後退ストロークＳ（後退しろＳ）が画成される。
【００２９】
本実施形態においても、第１実施形態と同様に、ノックボタン１１ａへのノック操作により筆記芯Ｔを繰り出すことができる。本実施形態のシャープペンシル１Ａを使用中に筆記芯Ｔに軸線方向の所定の荷重が負荷された場合には、チャック１２、チャックリング１３、スリーブ１４Ａ及びチャック継手１１Ａｃは、クッションスプリング１６の弾性支持力に抗して、後方に後退ストロークＳだけ後退する。把持送出機構１０Ａが後退ストロークＳだけ後方に移動すると、軸筒本体２の環状突起２ａの前面（係合面）を含む第１の段差にチャック継手１１Ａｃの環状突起１１Ａｃ１の後面（係合面）を含む第２の段差が前方から当接して係合する。
【００３０】
第１の段差と第２の段差とが軸線方向において係合すると、軸筒本体２から第１の段差及び第２の段差を介して軸線方向の前方に向けて負荷される筆圧とチャックスプリング１５がチャック１２を軸線方向の後方に向けて付勢する付勢力とが相殺されてチャックスプリング１５の付勢力が低減される。本実施形態のチャックスプリング１５がチャック１２を軸線方向の後方に向けて付勢する付勢力は、チャックスプリング１５のチャック１２に対する出力であり、言い換えれば、チャックスプリング１５の把持送出機構１０Ａに対する出力である。このチャックスプリング１５の出力によって把持送出機構１０Ａは筆記芯Ｔを把持する。
【００３１】
チャック１２に対するチャックスプリング１５の出力が低減されると、チャック１２及びチャックリング１３による筆記芯Ｔの把持が緩められる。このため、軸線方向に所定の荷重が負荷された筆記芯Ｔは、破損することなくスライダ８及び芯ガイド９と共に先口３内に没入することができる。従って、第１実施形態と同様に、芯ガイド９及び筆記芯Ｔの破損を防ぐことができ、さらに芯ガイド９及び筆記芯Ｔをノック操作を要することなく容易に先口３内に収容することができる。
【００３２】
（第３実施形態）
次に、本発明の第３実施形態について図３に基づいて説明する。本実施形態では、第２実施形態におけるシャープペンシル１Ａの第１の段差及び第２の段差をシャープペンシルの後端部に配置するように変更したシャープペンシル１Ｂを説明する。よって、以下の説明では、前述の第１及び第２実施形態と同じ部材や箇所については同じ符号を用いて、その説明は省略又は簡略化する。
【００３３】
本実施形態のシャープペンシル１Ｂは、第２実施形態の軸筒本体２の環状突起２ａ及びチャック継手１１Ａｃの環状突起１１Ａｃ１を含まない。一方で、軸筒本体２は、その後端に取り付けられる後端カバー６を有する。後端カバー６は、略筒状の後端カバー本体６ａと、後端カバー本体６ａの後端に形成された径方向内側に向けて突出する環状壁部６ｂとを有する。後端カバー６の環状壁部６ｂは第２実施形態の軸筒本体２の環状突起２ａに相当し、軸線方向に面する前面２Ｂを含む第１の段差を有する。後端カバー本体６ａの内周面と軸筒本体２の後端の外周面の各々には一対のねじが形成されて、軸筒本体２と後端カバー６とは着脱可能に締結される。このように、第２実施形態における軸筒本体２の環状突起２ａに相当する部分を軸筒本体２とは別体として形成して軸筒本体２に組み付けるものとしてもよい。
【００３４】
芯パイプ１１ｂの後端には、ノックボタン１１Ｂａが後方から嵌合されて組み付けられる。本実施形態のノックボタン１１Ｂａは、ノックキャップ１１Ｂａ１と、ノックボタン本体１１Ｂａ２と、を有する。ノックキャップ１１Ｂａ１は、ノックキャップ１１Ｂａ１の径方向内側に向けて突出した複数の当接突起１１Ｂａ４をさらに有する。複数の当接突起１１Ｂａ４の前端をノックボタン本体１１Ｂａ２の後端に当接した状態で、ノックキャップ１１Ｂａ１がノックボタン本体１１Ｂａ２の後端に着脱可能に組み付けられる。ノックキャップ１１Ｂａ１の後端は、後端カバー６の環状壁部６ｂから後方に向けて突出する。ノックキャップ１１Ｂａ１の前端には、ノックキャップ１１Ｂａ１の径方向外側に向けて突出するフランジ部１１Ｂａ１１が形成される。フランジ部１１Ｂａ１１の後面と後端カバー６の環状壁部６ｂの前面との間には、ノックスプリング１１Ｂｂが軸線方向に圧縮されて配置される。
【００３５】
ノックキャップ１１Ｂａ１の外周面には、第２の段差を有する大径部が形成され、第２の段差の後面（当接面）１１Ｂａ３は第１の段差の前面（当接面）２Ｂに軸線方向で対向する。ノックキャップ１１Ｂａ１はノックスプリング１１Ｂｂで軸線方向の前方に向けて弾性支持され、後端カバー６の第１の段差の前面２Ｂとノックキャップ１１Ｂａ１の第２の段差の後面１１Ｂａ３とは、軸線方向に所定の後退ストロークＳを有するように配置される。
【００３６】
本実施形態においても、第１及び第２実施形態と同様に、ノックボタン１１Ｂａへのノック操作により筆記芯Ｔを繰り出すことができる。本実施形態のシャープペンシル１Ｂを使用中に筆記芯Ｔに軸線方向の所定の荷重が負荷された場合には、チャック１２、チャックリング１３、スリーブ１４Ａ及びチャック継手１１Ｂｃは、クッションスプリング１６及びノックスプリング１１Ｂｂの弾性支持力に抗して、後方に後退ストロークＳだけ後退する。把持送出機構１０Ｂが後退ストロークＳだけ後方に移動すると、後端カバー６の第１の段差の前面２Ｂとノックキャップ１１Ｂａ１の第２の段差の後面１１Ｂａ３とが軸線方向で当接して係合する。
【００３７】
第１の段差の前面２Ｂと第２の段差の後面１１Ｂａ３とが軸線方向において係合すると、軸筒本体２から第１の段差及び第２の段差を介して軸線方向の前方に向けて負荷される筆圧とチャックスプリング１５がチャック１２を軸線方向の後方に向けて付勢する付勢力とが相殺されてチャックスプリング１５の付勢力が低減される。本実施形態のチャックスプリング１５がチャック１２を軸線方向の後方に向けて付勢する付勢力は、チャックスプリング１５のチャック１２に対する出力であり、言い換えれば、チャックスプリング１５の把持送出機構１０Ｂに対する出力である。このチャックスプリング１５の出力によって把持送出機構１０Ｂは筆記芯Ｔを把持する。
【００３８】
チャック１２に対するチャックスプリング１５の出力が低減されると、チャック１２及びチャックリング１３による筆記芯Ｔの把持が緩められる。このため、軸線方向に所定の荷重が負荷された筆記芯Ｔは、破損することなくスライダ８及び芯ガイド９と共に先口３内に没入することができる。従って、第１及び第２実施形態と同様に、芯ガイド９及び筆記芯Ｔの破損を防ぐことができ、さらに芯ガイド９及び筆記芯Ｔをノック操作を要することなく容易に先口３内に収容することができる。なお、本実施形態ではシャープペンシル１Ｂはスリーブ１４及びクッションスプリング１６を備えるものとして説明したが、他の実施形態では、スリーブ１４及びクッションスプリング１６を備えることなく、ノックキャップ１１Ｂａ１及びノックスプリング１１Ｂｂのみによるクッション機構を構成するものとしてもよい。この場合には、チャックスプリング１５はチャックリング１３に対してチャック１２を軸線方向の後方に付勢するものとしてもよい。この場合にはさらに簡単な構成により上述のシャープペンシル１Ｂと同様の作動を実現することができる。
【００３９】
以上、本発明の複数の実施形態を説明したが、本発明は以上説明した実施形態に限定されることはなく、種々の形態で実施することができる。例えば、第１の段差を有する環状突起２ａ（第１及び第２実施形態）及び環状壁部６ｂ（第３実施形態）は軸筒本体２の内周面から径方向の内側に向けて、第２の段差を有するチャックスプリング１５の後端（第１実施形態）、環状突起１１Ａｃ１（第２実施形態）及びノックボタンの大径部（第３実施形態）は把持送出機構１０，１０Ａ及び１０Ｂの各々の外周面から径方向の外側に向けて突出するように形成するものと説明した。しかし、これに限られず、例えば、縦断面視において一方を軸線方向に第１の係合面を有する凹状に形成し、他方を軸線方向に第２の係合面を有する凸状又は凹状に形成して各々係合可能に形成することもできる。第１及び第２の段差は軸線方向に係合可能に対向していればよい。また、軸線方向に係合することができる限りにおいて、第１及び第２の係合面は任意の傾斜角を有していてもよい。また、第１の段差と第２の段差は、それぞれ一つずつ形成して組み合わせるだけでなく、それぞれ複数を形成して複数を組み合わせてシャープペンシルを構成するものとしてもよい。
【００４０】
また、チャックスプリング１５はスリーブ１４に対してチャック１２を軸線方向の後方に向けて付勢するものと説明したが、筆記芯を把持するために構成されるチャックスプリングの把持送出機構に対する出力方向は軸線方向の後方に向けたものに限られない。さらに他の実施形態では、シャープペンシルは任意の出力方向へのチャックスプリングの把持送出機構に対する出力を軸筒に負荷される筆圧と相殺して筆記芯の把持を緩めるように構成された任意の把持送出機構を備えるものとしてもよい。また、ノックボタンは後端に配置される場合に限られず、サイドノック、サイドスライドあるいは回転操作により作動するノック機構とするものとしてもよい。また、筆記芯に軸線方向に負荷される荷重は静荷重であっても衝撃荷重であってもよい。例えば、シャープペンシルを筆記芯を下方に向けた状態で落下させてしまった場合には、以上説明した実施形態において軸筒に負荷されるものと説明した筆圧に代わってシャープペンシルの落下の慣性が軸筒に作用するから、この場合にも以上説明した実施形態と同様のシャープペンシルの作動を得ることができる。
【符号の説明】
【００４１】
１，１Ａ，１Ｂ    シャープペンシル
２            軸筒本体                  ２ｂ          雌ねじ部
２ａ          環状突起                  ２ａ１        貫通溝
２Ｂ          第１の段差の前面
３            先口                      ３ａ          雌ねじ部
３ｂ          段部                      ４            軸筒
５            字消し                    ６            後端カバー
６ａ          後端カバー本体            ６ｂ          環状壁部
７            接続筒                    ７ａ          雄ねじ部
７ｂ          雄ねじ部                  ７ｃ          スライダ収容部
７ｄ          チャックリング収容部      ７ｅ          スリーブ収容部
７ｆ          段部                      ７ｇ          段部
８            スライダ                  ８ａ          係合部
８ｂ          ブレーカ部                ９            芯ガイド
１０，１０Ａ，１０Ｂ    把持送出機構
１１          筆記芯収容部
１１Ａｃ      チャック継手              １１Ａｃ１    環状突起
１１Ｂａ      ノックボタン              １１Ｂａ１    ノックキャップ
１１Ｂａ１１  フランジ部                １１Ｂａ２    ノックボタン本体
１１Ｂａ３    第２の段差の後面
１１Ｂａ４    当接突起                  １１Ｂｂ      ノックスプリング
１１Ｂｃ      チャック継手              １１ａ        ノックボタン
１１ａ１      ノックキャップ            １１ａ２      ノックボタン本体
１１ａ３      字消しホルダー            １１ｂ        芯パイプ
１１ｃ        チャック継手              １１ｃ１      フランジ
１２          チャック                  １２ａ        基部
１２ｂ        梁状部                    １２ｃ        膨出部
１２ｃ１      前端面部                  １２ｃ２      最大外周面部
１２ｃ３      傾斜部                    １３          チャックリング
１４，１４Ａ        スリーブ
１４ａ，１４Ａａ    環状壁部
１４ｂ，１４Ａｂ    環状突起
１５          チャックスプリング        １６          クッションスプリング
【図１Ａ】
2018110682.tif 000003
【図１Ｂ】
2018110682.tif 000004
【図２】
2018110682.tif 000005
【図３】
2018110682.tif 000006
【国際調査報告】
2018110682.tif 000007
2018110682.tif 000008
2018110682.tif 000009
2018110682.tif 000010
2018110682.tif 000011
2018110682.tif 000012
2018110682.tif 000013